(57)【特許請求の範囲】
【請求項１】
半球状を為すクラウンを、
着用者の前頭部から頭頂部を経て後頭部に至る部分を覆う中央クラウンと、
中央クラウンの左側縁に取り付けられて着用者の左側頭部を覆う左側横クラウンと、
中央クラウンの右側縁に取り付けられて着用者の右側頭部を覆う右側横クラウンと、
によって構成し、
中央クラウンにおける前後方向中間部から後側に位置する後側部分を、横方向の折り目が形成されるように複数個所で折り重ねた状態で、中央クラウンの左側縁及び右側縁をそれぞれ左側横クラウンの内縁及び右側横クラウンの内縁に縫合し、中央クラウンの後側部分に、横方向に延びる複数本のタックを上下方向に所定間隔を隔てた状態で形成することにより、中央クラウンにおける後側部分を、弛みを有する弛み部とし、その着用時に、前記弛み部内へ着用者の髪を収容できるようにしたことを特徴とする帽子の製造方法。
【請求項２】
タックの本数を２〜５本とし、
それぞれのタックの折り返し幅を４０〜１００ｍｍとした
請求項１記載の帽子の製造方法。
【請求項３】
一のタックと他のタックとで折り返し幅を異ならせた請求項１又は２記載の帽子の製造方法。
【請求項４】
着用者の額から顔に向かって汗が流れ落ちるのを防ぐための汗止め帯を、クラウンの前方下縁に沿って取り付けた請求項１〜３いずれか１つに記載の帽子の製造方法。
【発明の詳細な説明】
【技術分野】
【０００１】
本発明は、着用者の髪型の乱れを防止できる帽子に関する。
【背景技術】
【０００２】
着用者の頭部の略全体を覆うことができるように半球状のクラウンを備えた帽子は、着用者の髪型によっては、着用しにくいことがある。例えば、髪の長い女性が運動をする際には、運動の邪魔にならないように髪をまとめることが一般的であるが、髪をまとめた部分は、膨らんだ状態となるため、帽子を着用する際に邪魔になりやすい。このため、まとめ髪やポニーテール等にした女性は、サンバイザーのようにクラウンを有さない構造の帽子を着用するか、あるいは帽子を被ることなく運動を行うことが多く、暑い時期には、熱中症になるリスクが高くなる。
【０００３】
このような実状に鑑みてか、これまでには、クラウンにおける着用者の後頭部を覆う部分を開放した構造の帽子も提案されている（例えば、特許文献１の図１及び特許文献２の図２を参照。）。このように、クラウンにおける一部を開放した構造とすることにより、その開放した部分からクラウンの外側へまとめた髪を引き出した状態で帽子を着用することが可能となっている。しかし、クラウンにおける一部が開放された構造の帽子においても、クラウンに開放した部分を設けた分だけ、日光の遮蔽能力が犠牲になっている。また、クラウンにおける一部が開放された構造の帽子は、着用時の見た目が良いものとは言い難かった。
【０００４】
また、これまでには、クラウンを大き目の寸法で形成するとともに、着用者の頭部をクラウンの内部で保持するためのテープ等をクラウンの内側に取り付けた構造の帽子も提案されている（例えば、特許文献３の図４を参照。）。この種の帽子では、その着用時に、着用者の頭部とクラウンとの間に空間が形成されるので、その空間にまとめた髪を収容することが可能となっている。加えて、この種の帽子では、着用者の頭部の略全体がクラウンによって覆われた状態となるため、日光の遮蔽能力も高く維持されている。
【０００５】
しかし、クラウンを大き目の寸法で形成するとともに、着用者の頭部をクラウンの内部で保持するためのテープ等をクラウンの内側に取り付けた構造の帽子は、その着用時に、前記テープ等が着用者の頭部に局所的に当たるため、被り心地が良いものとは言い難かった。加えて、この種の帽子は、クラウンの略全体が着用者の頭部よりも一回り以上大きな寸法で形成されているため、意図しないシワがクラウンの略全体に形成されやすく、着用時の見た目が良いものとも言い難かった。
【先行技術文献】
【特許文献】
【０００６】
【特許文献１】特開２００２−０６１０１５号公報
【特許文献２】特表２００３−５３５９８５号公報
【特許文献３】実用新案登録第３１７８２９７号公報
【発明の概要】
【発明が解決しようとする課題】
【０００７】
本発明は、上記課題を解決するために為されたものであり、髪をまとめた場合等であっても着用しやすい帽子を提供するものである。また、日光の遮蔽能力が高い帽子を提供することも本発明の目的である。さらに、被り心地や見た目が良好な帽子を提供することも本発明の目的である。
【課題を解決するための手段】
【０００８】
上記課題は、半球状を為すクラウンにおける特定領域にタックが形成されることにより、クラウンにおける前記特定領域が弛みを有する弛み部とされ、その着用時に、前記弛み部内へ着用者の髪を収容できるようにしたことを特徴とする帽子を提供することによって解決される。
【０００９】
本発明に係る帽子によって、着用者は、髪をまとめた部分等を弛み部内へ収容し、当該部分等が邪魔にならない状態で帽子を被ることが可能になる。このとき、弛み部がクラウンの外側へ不自然に膨らんでしまうと、帽子の着用時の見た目が悪くなるおそれもあるが、弛み部は、タックを形成することにより設けられたものであるため、その不自然さをタックによって目立たないようにすることも可能になる。
【００１０】
また、本発明に係る帽子では、まとめた髪を引き出すための開口部等をクラウンに設けるが特に必要がないので、帽子の日光に対する遮蔽能力を高く維持することも可能になる。加えて、帽子の着用時の見た目を良くすることも可能になる。さらに、着用者の頭部をクラウンの内部で保持するためのテープ等をクラウンの内側に取り付ける必要もないので、帽子の被り心地の低下を防ぐことも可能になる。
【００１１】
本発明に係る帽子において、クラウンにおける前記特定領域の場所（タックを形成することにより弛み部とする場所）は、対象とする髪型等によっても異なり、特に限定されないが、クラウンにおける着用者の後頭部を覆う部分とすると好ましい。
【００１２】
というのも、ポニーテール（後頭部中央の高い場所で髪を１束にまとめて垂らす髪型）や、シングルお団子ヘア（後頭部中央の１箇所で髪を団子状にまとめる髪型）や、ツインテール（後頭部両側の計２箇所の高い箇所で髪を１束ずつにまとめて両側に垂らす髪型）や、ダブルお団子ヘア（後頭部両側の計２箇所で髪を団子状にまとめる髪型）等、ポピュラーなまとめ髪の殆どは、髪をまとめた部分が後頭部に位置するため、クラウンにおける着用者の後頭部を覆う部分を前記特定領域（弛み部）とすれば、帽子を殆どのまとめ髪に対応できるものとすることができるからである。
【００１３】
ただし、クラウンにおける着用者の後頭部を覆う部分全体を前記特定領域（弛み部）とする必要は、特にない。例えば、上記のまとめ髪のうち、ポニーテールやシングルお団子ヘアを対象とする場合には、少なくとも、クラウンにおける着用者の後頭部中央を覆う部分を前記特定領域とすれば足り、ツインテールやダブルお団子ヘアを対象とする場合には、少なくとも、クラウンにおける着用者の後頭部両側を覆う部分を弛み部とすれば足りる。
【００１４】
本発明に係る帽子において、前記特定領域（弛み部）に形成するタックの方向や本数等は、弛み部の配置等によっても異なり、特に限定されない。しかし、弛み部には、横方向（左右方向）に延びる複数本のタックを上下方向に所定間隔を隔てて形成すると好ましい。これにより、上述した弛み部の不自然な膨らみをより目立ちにくくすることが可能になる。
【００１５】
本発明に係る帽子において、クラウンを構成する生地の構成等は、前記特定領域（弛み部）の配置等によっても異なり、特に限定されない。例えば、弛み部をクラウンにおける着用者の後頭部中央を覆う部分とする場合には、クラウンを、着用者の前頭部から頭頂部を経て後頭部に至る部分を覆う中央クラウンと、中央クラウンの両側縁に取り付けられて着用者の側頭部を覆う横クラウンと、によって構成し、中央クラウンにおける前後方向中間部から後側を弛み部とすると好ましい。これにより、クラウンにおける着用者の後頭部中央を覆う部分に弛み部が配置された帽子を比較的簡単な構造で製造することが可能になる。
【００１６】
本発明に係る帽子においては、着用者の額から顔に向かって汗が流れ落ちるのを防ぐための汗止め帯を、クラウンの前方下縁に沿って取り付けることも好ましい。これにより、帽子を、運動や作業により適したものとすることが可能になる。
【発明の効果】
【００１７】
以上のように、本発明によって、髪をまとめた場合等であっても着用しやすい帽子を提供することが可能になる。また、日光の遮蔽能力が高い帽子を提供することも可能になる。さらに、被り心地や見た目が良好な帽子を提供することも可能になる。
【図面の簡単な説明】
【００１８】
【図１】本発明に係る帽子を示した側面図である。
【図２】本発明に係る帽子を示した平面図である。
【図３】本発明に係る帽子の中央クラウンを図２における繋ぎ線Ｌ１を含み同図紙面に垂直な平面で切断した状態を示した断面図である。
【図４】本発明に係る帽子を着用する前における着用者の頭部を示した側面図である。
【図５】本発明に係る帽子を着用した後における着用者の頭部を示した側面図である。
【発明を実施するための形態】
【００１９】
１．帽子の概要
本発明に係る帽子の好適な実施態様について、図面を用いてより具体的に説明する。図１は、本発明に係る帽子１００を示した側面図である。図２は、本発明に係る帽子１００を示した平面図である。図３は、本発明に係る帽子１００の中央クラウン１１１を図２における繋ぎ線Ｌ１を含み同図紙面に垂直な平面で切断した状態を示した断面図である。図４は、本発明に係る帽子１００を着用する前における着用者の頭部２００を示した側面図である。図５は、本発明に係る帽子１００を着用した後における着用者の頭部２００を示した側面図である。
【００２０】
本実施態様の帽子１００は、図１及び図２に示すように、半球状を為すクラウン１１０と、クラウン１１０の前方下縁に沿って取り付けられた汗止め帯１２０とを備えたものとなっている。クラウン１１０は、着用者の頭部２００（図４及び図５）を覆うための部分となっており、汗止め帯１２０は、着用者の額から顔に向かって汗が流れ落ちるのを防ぐための部分となっている。クラウン１１０における特定領域には、タックＴが形成されており、当該特定領域は、タックＴによる弛みを有する弛み部とされている。このため、本実施態様の帽子は、図４及び図５に示すように、それを着用する際に、着用者の頭部２００における髪をまとめた部分２１０を弛み部内へ収容できるようになっている。
【００２１】
２．クラウン
クラウン１１０は、通常、複数枚の生地を繋ぎ合せることによって半球状に形成される。既に述べた通り、クラウン１１０を構成する生地の構成は、特に限定されない。本実施態様の帽子１００において、クラウン１１０は、図２に示すように、中央クラウン１１１（同図において目の大きな網掛けハッチングで示した部分）と、横クラウン１１２（同図において目の小さな網掛けハッチングで示した部分）とで構成されている。
【００２２】
２．１  中央クラウン
クラウン１１０を形成する各生地のうち、中央クラウン１１１は、着用者の前頭部から頭頂部を経て後頭部に至る部分を覆うための部分となっている。図２に示すように、中央クラウン１１１の一対の側縁（同図における繋ぎ線Ｌ１及び繋ぎ線Ｌ２を参照）は、それぞれが内側に凹となるように円弧状に形成されている。このため、中央クラウン１１１は、その長手方向両端部（前端部及び後端部）が幅広に形成されて長手方向中央部が幅狭に形成された帯状を為している。中央クラウン１１１をこのような形状とすることにより、後述するタックＴをクラウン１０にバランス良く配置することが可能になる。
【００２３】
中央クラウン１１１は、１枚の生地によって形成してもよいが、本実施態様の帽子１００においては、図２に示すように、互いに左右対称な左側中央クラウン１１１ａと右側中央クラウン１１１ｂとを繋ぎ線Ｌ１で繋ぎ合せることによって形成されている。左側中央クラウン１１１ａと右側中央クラウン１１１ｂとを繋ぎ合せる方法は、特に限定されないが、通常、縫着が採用される。本実施態様の帽子１００においては、左側中央クラウン１１１ａと右側中央クラウン１１１ｂとを繋ぎ線Ｌ１で縫着することにより、中央クラウン１１０を形成した後、中央クラウン１１０の裏面（内面）における繋ぎ線Ｌ１に沿ってテープ状の裏打ち材（図示省略）を重ね、当該裏打ち材の両側縁を左側中央クラウン１１１ａ及び右側中央クラウン１１１ｂに縫着している。
【００２４】
中央クラウン１１１の素材は、帽子１００の用途等によっても異なり、特に限定されない。中央クラウン１１１は、帽子１００の用途に応じて従来から用いられている各種の素材を用いることができる。ただし、本実施態様の帽子１１０では、中央クラウン１１０にタックＴが形成され、中央クラウン１１０におけるタックＴが形成された部分が弛むようにする必要がある。このため、本実施態様の帽子１００における中央クラウン１１０は、柔らかい素材で形成すると好ましい。このような素材としては、ポリエステル繊維若しくはナイロン繊維等の合成繊維、綿等の天然繊維、又はこれらの繊維を組み合わせてなる編織地が例示される。
【００２５】
本実施態様の帽子１００においては、合成繊維からなる編織地であって伸縮性及び通気性を有するものによって中央クラウン１１１を形成している。タックＴを形成する中央クラウン１１１に伸縮性を付与することにより、中央クラウン１１１を着用者の頭部２００にフィットさせながらも、中央クラウン１１１におけるタックＴが形成された部分（弛み部）をさらに弛みやすくして、着用者の頭部２００における髪がまとめられた部分２１０を弛み部内へ収容しやすくすることが可能となっている。また、中央クラウン１１１に通気性を付与することにより、着用者の頭部２００を蒸れにくくすることが可能となっている。これらの構成は、帽子１００を運動用のものとする場合に特に好適に採用できる。
【００２６】
ところで、本実施態様の帽子１００において、中央クラウン１１１は、表地のみからなる１層構造としているが、中央クラウン１１１におけるタックＴが形成された部分（弛み部）の弛みを大きく阻害しない範囲であれば、裏地等を有する複層構造とすることもできる。中央クラウン１１１に裏地を設ける場合には、当該裏地は、伸縮性及び通気性を有するメッシュ地とすると好ましい。これにより、着用者が頭部に汗をかいても裏地がべたつかないようにして、着用者の快適性を向上させることができる。メッシュ地の素材としては、上述した合成繊維や天然繊維等からなる編織地が例示される。
【００２７】
２．２  横クラウン
横クラウン１１０は、着用者の側頭部を覆うための部分となっている。本実施態様の帽子１００において、横クラウン１１０は、図２に示すように、着用者の左側頭部を覆うための左側横クラウン１１２ａと、着用者の右側頭部を覆うための右側横クラウン１１２ｂとで構成されている。
【００２８】
左側横クラウン１１２ａの上縁（内縁）は、図１に示すように、上側（内側）に凸となるように円弧状に形成されている。このため、左側横クラウン１１２ａは、側面視略半円状を為している。左側横クラウン１１２ａの上縁（内縁）は、左側中央クラウン１１１ａの外縁に対して繋ぎ合わされる（図１及び図２の繋ぎ線Ｌ２を参照）ため、左側中央クラウン１１１ａの外縁と略一致する曲がり具合とされる。右側横クラウン１１２ｂは、左側横クラウン１１２ａと左右対称であるため、右側横クラウン１１２ｂの形状についての詳しい説明は割愛する。
【００２９】
横クラウン１１２の素材は、上述した中央クラウン１１１の素材と略同様であるため、詳しい説明を割愛する。ただし、本実施態様の帽子１００では、横クラウン１１２には、タックを設けておらず、特に弛むようにする必要もないため、横クラウン１１２は、中央クラウン１１１よりも、硬い素材とすることもできる。したがって、横クラウン１１２は、中央クラウン１１１と比較して、裏地や芯地等を有する複層構造を採用しやすい部分となっている。ただし、本実施態様の帽子１００においては、クラウン１００全体の伸縮性及び通気性を優先し、横クラウン１１２の素材は、中央クラウン１１１と同一としている。
【００３０】
３．タック
既に述べた通り、クラウン１１０における特定領域は、図１〜３に示すように、タックＴが形成されることにより、弛みを有する弛み部とされている。このため、図４及び図５に示すように、帽子１００を着用する際には、着用者の頭部２００における髪をまとめた部分２１０をクラウン１１０におけるタックＴが形成された部分の内側（弛み部内）へ収容できるようになっている。すなわち、クラウン１１０におけるタックＴによって折り重ねられた部分（弛み部）が伸びることにより、図５に示すように、前記弛み部が外側へ膨らみ、前記弛み部内に着用者の頭部２００における髪をまとめた部分２１０を収容することができるようになっている。したがって、着用者は、髪をまとめた部分２１０が邪魔にならない状態で帽子１００を着用することが可能となっている。
【００３１】
また、クラウン１１０における着用者の頭部２００における髪をまとめた部分２１０を収容する部分（弛み部）がクラウン１１０の外側へ大きく膨らむと、クラウン１１０に皺が不規則に形成され、帽子１００の着用時の見た目が悪くなるおそれもある。しかし、本実施態様の帽子１００では、前記弛み部にタックＴが形成されているため、前記弛み部にシワが不規則に形成されにくくなっている。さらに、本実施態様の帽子１００では、図５に示すように、着用者の頭部２００における髪がまとめられた部分２１０に重なる部分のみが弛んで外側に膨らみ、クラウン１１０における他の部分は、弛まないようになっている。このため、本実施態様の帽子１００は、クラウン１１０における前記弛み部以外の部分にも、不規則なシワが形成されにくい構造となっている。
【００３２】
クラウン１１０におけるどの部分に弛み部を設けるか（どの部分にタックＴを形成するか）は、対象とする着用者の髪型等によっても異なり、特に限定されないが、本実施態様の帽子１１０においては、図１〜３に示すように、クラウン１１０における着用者の後頭部中央を覆う部分としている。すなわち、クラウン１１０を構成する中央クラウン１１１における前後方向中間部から後側を弛み部としている。このため、本実施態様の帽子１００は、シングルお団子ヘアやポニーテールのように、髪がまとめられた部分２１０が着用者の後頭部中央に形成される髪型の場合に、好適に着用できるものとなっている。これに対し、本実施態様の帽子１００は、ダブルお団子ヘアやツインテールのように、髪がまとめられた部分が着用者の左後頭部や右後頭部に形成される髪型については、特に想定していないが、帽子１００の構成に以下のような変更を施せば、そのような髪型についても対応可能である。
【００３３】
すなわち、（１）クラウン中央１１１の横幅（左右の幅）を図２に示すよりも広く確保して、前記弛み部が着用者の左後頭部及び右後頭部にも重なるように配置するか、（２）左側横クラウン１１２ａ及び右側横クラウン１１２ｂを図２に示すよりも後側へ長く形成して、左側横クラウン１１２ａ及び右側横クラウン１１２ｂが着用者の左後頭部及び右後頭部にそれぞれ重なるようにし、左側横クラウン１１２ａ及び右側横クラウン１１２ｂにおける着用者の左後頭部及び右後頭部に重なる分にタックＴを形成する等の変更を施せば、髪がまとめられた部分２１０が着用者の左後頭部や右後頭部に形成される髪型についても対応可能となる。前記弛み部は、クラウン１１０における１箇所のみに設ける必要は特になく、上記（２）のように、クラウン１１０における分離した複数箇所に設けることもできる。
【００３４】
クラウン１１０の前記弛み部に設けるそれぞれのタックＴの方向は、前記弛み部の配置や広さ等によっても異なり、特に限定されない。タックＴは、横方向（左右方向）、縦方向（前後方向）、又は、傾斜方向（横方向及び縦方向のいずれにも非垂直な方向）のいずれにも設けることができる。タックＴを複数本設ける場合には、それぞれのタックＴの方向を揃える必要は特にないが、それぞれのタックＴの方向はできるだけ揃えた方が好ましい。というのも、タックＴの方向を揃えた方が、前記弛み部が弛む際に、前記弛み部にシワが不規則に形成されにくくなるからである。本実施態様の帽子１００においては、図１及び図２に示すように、横方向（左右方向）に延びる複数本のタックＴを上下方向に所定間隔を隔てて略平行に形成している。
【００３５】
また、クラウン１１０の前記弛み部にもうけるタックＴの本数も、前記弛み部の配置や広さ等によっても異なり、特に限定されない。しかし、着用者の頭部２００における髪がまとめられた部分２１０のボリュームがある場合や、その部分２１０の位置がある程度ずれた場合でも、帽子１００を好適に着用できるようにするためには、前記弛み部の弛みを大きく確保する必要や、前記弛み部を広く形成する必要がある。このため、タックＴの本数は、複数本（２本以上）とすると好ましい。ただし、タックＴの本数が多すぎると、帽子１００の見た目が悪くなるおそれがあるだけでなく、帽子１００の製造コストが増大するおそれもあるため、タックＴの本数は、１０本以下に抑えると好ましく、５本以下に抑えるとより好ましい。本実施態様の帽子１００においては、図１〜３に示すように、第一タックＴ１、第二タックＴ２及び第三タックＴ３によってタックＴを構成しており、タックＴの本数は、３本となっている。
【００３６】
クラウン１１０におけるタックの形成方法は、特に限定されないが、本実施態様の帽子１００においては、左側中央クラウン１１１ａと右側中央クラウン１１１ｂとを繋ぎ合せた中央クラウン１１１における後側部分を、横方向（左右方向）の折り目が形成されるように複数箇所（３箇所）で折り重ねた後、中央クラウン１１１の一対の外縁（左側縁及び右側縁）を、それぞれ左側横クラウン１１２ａの内縁（上縁）及び右側横クラウン１１２ｂの内縁（上縁）に縫合することで、タックＴを形成している。これにより、タックＴの形成と、中央クラウン１１１と左側横クラウン１１２ａ及び右側横クラウン１１２ｂとの縫合を同時に行うことが可能となっている。
【００３７】
それぞれのタックＴの折り返し幅Ｗ（図３）は、タックＴの本数等によっても異なり、特に限定されない。しかし、タックＴの折り返し幅Ｗが狭すぎると、タックＴの本数を多くしなければ、前記弛み部の弛み量を確保できなくなるため、帽子１００の見た目が悪くなったり、帽子１００の製造コストが増大したりするおそれがある。このため、タックＴの折り返し幅Ｗは、１０ｍｍ以上とすると好ましい。タックＴの折り返し幅Ｗは、２０ｍｍ以上とするとより好ましく、３０ｍｍ以上とするとさらに好ましく、４０ｍｍ以上とすると最適である。
【００３８】
一方、タックＴの折り返し幅Ｗ（図３）を広くしすぎると、前記弛み部が弛んでクラウン１１０の外側へ膨らむ際に、意図しないシワが不規則に形成されやすくなるおそれがある。このため、タックＴの折り返し幅Ｗは、１２０ｍｍ以下とすると好ましい。タックＴの折り返し幅Ｗは、１００ｍｍ以下とするとより好ましい。本実施態様の帽子１００において、タックＴの折り返し幅Ｗは、第一タックＴ１及び第二タックＴ２が約４５ｍｍで、第三タックＴ３が約７５ｍｍとなっている。このように、タックＴの折り返し幅Ｗは、タックＴの場所によって変えることも可能である。
【００３９】
４．汗止め帯
汗止め帯１２０は、クラウンの前方下縁に沿って取り付けられており、着用者の額から顔に向かって汗が流れ落ちるのを防ぐための部分となっている。汗止め帯１２０の素材は、特に限定されないが、吸水性と速乾性に優れた素材を選択すると好ましい。本実施態様の帽子１００においては、内側の面（着用者の頭部に接触する側の面）に太い繊維を用い、外側の面に細い繊維を用いた織物を用いている。この織物は、毛細管現象により頭部の汗を速やかに吸収することのできるものとなっている。
【００４０】
５．サイズ調節ゴム
本実施態様の帽子１００においては、図１及び図３に示すように、クラウン１１０における後方下縁の内側に、サイズ調節ゴム１３０を取り付けている。このため、着用者の頭囲に応じてクラウン１１０の下縁の周長が変化するようになっている。クラウン１１０のサイズ調節手段としては、本実施態様の帽子１００におけるサイズ調節ゴム１３０のほか、従来の帽子で採用されている各種のものを採用することができる。
【００４１】
６．その他
本実施態様の帽子１００では、帽子１００の用途等に応じて、前鍔やプリム等の庇をクラウン１１０の下縁から外方に突出して設けたり、ビン皮をクラウン１１０の下縁内側に沿って設けたりすることもできる。
【００４２】
７．用途
本発明に係る帽子の用途は、特に限定されない。本発明に係る帽子は、ファッション性の高い帽子に採用することもできるが、バトミントン等の運動を行う際に着用する運動帽や、作業を行う際に着用する作業帽として好適に採用することができる。これらの帽子は、着用者が髪をまとめたまま着用できることのメリットが大きいからである。特に、女性用の運動帽又は作業帽として好適に採用できる。
【符号の説明】
【００４３】
１００    帽子
１１０    クラウン
１１１    中央クラウン
１１１ａ  左側中央クラウン
１１１ｂ  右側中央クラウン
１１２    横クラウン
１１２ａ  左側横クラウン
１１２ｂ  右側横クラウン
１２０    汗止め帯
１３０    サイズ調節ゴム
２００    着用者の頭部
２１０    髪をまとめた部分
Ｌ１  左側中央クラウンと右側中央クラウンとの繋ぎ線
Ｌ２  左側中央クラウンと左側横クラウンとの繋ぎ線
Ｌ３  右側中央クラウンと右側横クラウンとの繋ぎ線
Ｌ４  クラウンと汗止め帯との繋ぎ線
Ｔ    タック
Ｔ１  第一タック
Ｔ２  第二タック
Ｔ３  第三タック
【図１】
0006374755.tif 000002
【図２】
0006374755.tif 000003
【図３】
0006374755.tif 000004
【図４】
0006374755.tif 000005
【図５】
0006374755.tif 000006